(57)【要約】      （修正有）【課題】小型で簡素な構造を有する上、いつでもどこでもトレーニングすることができる足部トレーニングマシンを提供する。【解決手段】足部トレーニングマシンは、台座１０、回転盤２０、連動ロッド３０、ステップ４０、２つの弾性ロープ５０、２つの弾性ベルト６０及び２つの弾性引きロープ７０を備える。台座１０の上部には、溝部１１を介して回転盤２０が枢着される。溝部１１の両側には、２つの係合孔１２が形成される。溝部１１の内側には、Ｃ字状の溝が形成されて弾性片が配設されている。弾性片の頂面には、位置決めバンプ１４が設けられる。回転盤２０は、円形キャップであり、枢着孔２２を有する２つの枢着耳２１が間隔をおいて上に配設されている。２つの枢着耳２１間には収容空間２３が形成される。回転盤２０の底面は、リング状の位置決め歯２５を介して位置決めバンプ１４に接触される。【選択図】図２
0003194111.tif 000002
【実用新案登録請求の範囲】
【請求項１】
台座、回転盤、連動ロッド、ステップ、２つの弾性ロープ、２つの弾性ベルト及び２つの弾性引きロープを備えた足部トレーニングマシンであって、
上記台座の上部には溝部を介して回転盤が枢着され、溝部の両側には２つの係合孔が形成され、溝部の内側にはＣ字状の溝が形成されて弾性片が配設され、弾性片の頂面には位置決めバンプが設けられ、
上記回転盤は円形キャップであり、枢着孔を有する２つの枢着耳が間隔をおいて上に配設され、２つの枢着耳間には収容空間が形成され、回転盤の底面はリング状の位置決め歯を介して位置決めバンプに接触され、
上記連動ロッドの両端には、互いに位置がずれて穿設された枢着孔が形成され、連動ロッドの一端は回転盤の収容空間に挿入され、２つのトーションバネが配設されてから、互いに対応した枢着孔及びトーションバネに枢軸が挿設され、回転盤の枢着耳上に連動ロッドが位置決めされ、トーションバネの弾性支持により連動ロッドが常態下で直立状態に維持され、
上記ステップの両側には踏みブロックがそれぞれ形成され、踏みブロックは、外側縁部に突設されたソケットと、内部に形成された２つの貫通孔と、を有し、ステップの底面中央部は、長軸方向に形成された長溝を有し、ステップの前後側の重心位置には長溝の枢着孔が形成され、連動ロッドの他端が長溝に挿入され、枢着孔に枢軸が挿通されて枢着され、台座とずれた箇所にステップが位置決めされ、
上記弾性ロープの両端は、ステップの２つの貫通孔に挿通されてから、台座の２つの係合孔に挿通され、その側端に設けられた拡大部により係止され、
上記弾性ベルトは、一端がソケットの内面に結合され、他端が延びて掛止されると、弾性的に縛ることができ、弾性ベルト上には多数の調整孔が形成されており、調整孔とステップ上の係止ブロックとの組み合わせにより、弾性ベルトの使用長さを調整することが可能であり、
上記弾性引きロープは、一端がステップのソケット上に係合され、他端が吊り輪に接続されていることを特徴とする足部トレーニングマシン。
【請求項２】
前記枢着耳の前後には、低めのストッパ縁がそれぞれ接続されていることを特徴とする請求項１に記載の足部トレーニングマシン。
【請求項３】
前記連動ロッドは、ステップが枢着される一端に、拡大して形成された弧状の当接縁を有することを特徴とする請求項１に記載の足部トレーニングマシン。
【請求項４】
前記ステップの前後中央部には、収束部がそれぞれ設けられ、
収束部により分離されてステップの両側に踏みブロックがそれぞれ画成されていることを特徴とする請求項１に記載の足部トレーニングマシン。
【請求項５】
前記踏みブロックの表面には、多数のマッサージバンプが設けられていることを特徴とする請求項１に記載の足部トレーニングマシン。
【請求項６】
前記拡大部は、弾性ロープ内のフック球を覆うことを特徴とする請求項１に記載の足部トレーニングマシン。
【請求項７】
前記拡大部は、弾性ロープ上の結び目に直接形成されていることを特徴とする請求項１に記載の足部トレーニングマシン。
【請求項８】
前記連動ロッドの外周は、弾性部材により覆われることを特徴とする請求項１に記載の足部トレーニングマシン。
【請求項９】
前記弾性部材は、中空柱状のウレタンフォームであることを特徴とする請求項８に記載の足部トレーニングマシン。
【請求項１０】
前記弾性部材は圧縮ばねであることを特徴とする請求項８に記載の足部トレーニングマシン。
【考案の詳細な説明】
【技術分野】
【０００１】
本考案は、足部トレーニングマシンに関し、特に、小型で簡素な構造を有する上、いつでもどこでもトレーニングすることができる足部トレーニングマシンに関する。
【背景技術】
【０００２】
現代人は、仕事が忙しくて生活のペースがはやい上、仕事及び家庭が生活の中心となっているため、運動する時間が少なく、体に多くの脂肪がたまって体重が増えやすかった。また運動する時間がある場合でも、従来のトレーニングマシンは、複雑で高価な構造を有するため一般家庭が購入することは困難であった。またスポーツセンターへ行って運動する場合には、時間的、空間的制限を受けるため、自分の好きなときに運動することが容易でない上、スポーツセンターにあるトレーニングマシンのほとんどは筋力トレーニングを行うためのものであり、純粋にカロリーを消費するためにトレーニングを行うユーザにとって適しているとは言い難かった。
【０００３】
そのため、室内の占有空間が小さな小型の足部トレーニングマシンを開発することができる場合、ユーザは、時間的、空間的制限を受けずに、自宅で運動することができるため、運動を自在に行い、且つ足部のトレーニングマシンの構造が簡素で、製造コストも安価であるため一般家庭が購入するのに適している上、カロリーを多く消費する有酸素運動を行うこともできるため、ユーザは健康を維持したりスリムな体型を維持したりすることができる。
【考案の概要】
【考案が解決しようとする課題】
【０００４】
本考案の第１の目的は、小型であるため自宅で使用することに適し、ユーザが運動をする際、時間的、空間的制限を受けずにトレーニングすることができる足部トレーニングマシンを提供することにある。
本考案の第２の目的は、簡素な構造を有して製造コストが安価であるため、一般大衆が購入するのに適し、多くの家庭に普及させることが可能な長所を有する足部トレーニングマシンを提供することにある。
本考案の第３の目的は、ステップ運動を行ってカロリーを効果的に消費させることができる上、ステップ運動を行う使用者が平衡感覚及びリズム感覚を訓練することもできるため、付加価値が高い足部トレーニングマシンを提供することにある。
【図面の簡単な説明】
【０００５】
【図１】本考案の一実施形態に係る足部トレーニングマシンを示す斜視図である。
【図２】本考案の一実施形態に係る足部トレーニングマシンを示す分解斜視図である。
【図３】図２の部分拡大図である。
【図４】本考案の一実施形態に係る足部トレーニングマシンを示す断面図である。
【図５】本考案の一実施形態に係る足部トレーニングマシンを別の角度から見たところを示す断面図である。
【図６】本考案の一実施形態に係る足部トレーニングマシンを使用する際、押下したときの状態を示す断面図である。
【図７】本考案の一実施形態に係る足部トレーニングマシンを使用する際、押下したときの状態を別の角度から見たところを示す断面図である。
【図８】本考案の他の実施形態に係る足部トレーニングマシンを実際に使用するときの状態を示す断面図である。
【考案を実施するための形態】
【０００６】
図１〜図５を参照する。図１〜図５に示すよう、本考案の一実施形態に係る足部トレーニングマシンは、少なくとも台座１０、回転盤２０、連動ロッド３０、ステップ４０、２つの弾性ロープ５０、２つの弾性ベルト６０及び２つの弾性引きロープ７０から構成されている。台座１０の上部には、溝部１１を介して回転盤２０が枢着されている。溝部１１の両側には、２つの係合孔１２が形成され、溝部１１の内部には、Ｃ字状の溝が形成されて弾性片１３が配設されている。弾性片１３の頂面には、位置決めバンプ１４が設けられている。回転盤２０は、円形キャップであり、枢着孔２２を有する２つの枢着耳２１が間隔をおいて上に配設され、２つの枢着耳２１間には収容空間２３が形成されている。枢着耳２１の前後には、低めのストッパ縁２４がそれぞれ接続されている。回転盤２０の底面は、リング状の位置決め歯２５を介して位置決めバンプ１４に接触されている。連動ロッド３０の両端には、互いに位置がずれて穿設された枢着孔３０１が形成され、連動ロッド３０の一端は、回転盤２０の収容空間２３に挿入され、２つのトーションバネ３１が配設された後、互いに対応した枢着孔２２，３０１及びトーションバネ３１に枢軸が挿設され、回転盤２０の枢着耳２１上に連動ロッド３０が位置決めされ、トーションバネ３１の弾性支持により、連動ロッド３０が常態下で直立状態に維持されている。連動ロッド３０の他端は、拡大して弧状の当接縁３０２が形成されている。ステップ４０の前後中央部には、それぞれ収束部４１が設けられている。収束部４１の分離により、ステップ４０の両側には、踏みブロック４２がそれぞれ形成されている。踏みブロック４２は、表面に設けられた多数のマッサージバンプ４３と、外側縁部に突設されたソケット４４と、内部と収束部４１とが交差した箇所に形成された２つの貫通孔４５と、を有する。ステップ４０の底面中央部には、長軸方向に形成された長溝４６を有し、ステップ４０の前後側の重心位置には、長溝４６の枢着孔４７が形成され、連動ロッド３０の当接縁３０２の一端が長溝４６に挿入され、枢着孔４７，３０１に枢軸が挿通されて枢着され、台座１０とずれた箇所にステップ４０が位置決めされる。弾性ロープ５０は、弾性織りベルト又は弾性ゴムロープである。弾性ロープ５０の両端は、ステップ４０の２つの貫通孔４５に挿通されてから、台座１０の２つの係合孔１２に挿通され、その側端に設けられた拡大部５１により係止される。拡大部５１は、弾性ロープ５０内のフック球を覆うか、弾性ロープ５０上の結び目に直接形成される。弾性ベルト６０は、一端がソケット４４の内面に結合され、他端が延びて掛止されると、弾性的に縛ることができる。弾性ベルト６０上には、多数の調整孔６１が形成されている。調整孔６１とステップ４０上の係止ブロック４８との組み合わせにより、弾性ベルトの使用長さを調整することが可能であり、弾性引きロープ７０は、一端がステップ４０のソケット４４上に係合され、他端が吊り輪７１に接続されている。
【０００７】
本実施形態の足部トレーニングマシンを実際に使用する際、ユーザが着座姿勢を採って、ステップ４０の２つの踏みブロック４２を両足で左右交互に押下すると、ステップ４０が連動ロッド３０を介して台座１０に枢着されているため多方向へ傾くことが可能である。押下する力を加えると、弾性ロープ５０の弾性力に打ち勝つように、弾性ロープ５０を引っ張ることが可能である（図６及び図７を参照する）。このように、押下する力を大きくする必要があるため、トレーニングによりカロリーを効果的に燃焼させることができる上、台座１０、回転盤２０及びステップ４０の枢着により、ステップ４０に対して左右の力を加えて捻ることができ、マッサージバンプ４３により足裏のツボをマッサージするため全身をリラックスさせて運動効果を得ることができる。本実施形態の足部トレーニングマシンは、構造が簡素で小型であるため、一般家庭が購買して使用するのに非常に適し、いつでもどこでも使用してトレーニングを行うことができる。
【０００８】
弾性ベルト６０と係止ブロック４８との組み合わせにより、ユーザの両足が不注意により滑ることを防いで、両足をステップ４０上に安定的に置くことができる。ステップ４０に力を加えて回すと、その位置決め歯２５の一つ々々が位置決めバンプ１４を越え、回転盤２０が制限を受けずに自在に回転されることを防ぐことができる。
【０００９】
図８を参照する。図８に示すように、本考案の一実施形態に係る足部トレーニングマシンの連動ロッド３０の外周は、弾性部材８０により覆われている。弾性部材８０は、中空柱状のウレタンフォーム又は圧縮ばねであり、弾性部材８０の設置によりステップ４０を押下するときの抵抗力が高まるため高い運動効果を得て、弾性部材８０により隔離されているため、構成要素が直接当たって煩いノイズが発生することを防ぐことができる上、足踏みの過程で弾性引きロープ７０を引っ張るため、体全体にトレーニング効果が及ぶ。
【００１０】
本考案の足部トレーニングマシンは、以下（１）〜（３）の効果を有する。
（１）小型であるため自宅での使用に適し、ユーザが運動をする際、時間的、空間的制限を受けずにトレーニングすることができる。
（２）簡素な構造を有して製造コストが安価であるため、一般大衆が購入するのに適し、多くの家庭に普及させることができる長所を有する。
（３）ステップ運動を行うことができるため、カロリーを効果的に消費し、ステップ運動を行う使用者が平衡感覚及びリズム感覚を訓練することもできるため、付加価値が高い。
【符号の説明】
【００１１】
１０  台座
１１  溝部
１２  係合孔
１３  弾性片
１４  位置決めバンプ
２０  回転盤
２１  枢着耳
２２  枢着孔
２３  収容空間
２４  ストッパ縁
２５  位置決め歯
３０  連動ロッド
３１  トーションバネ
４０  ステップ
４１  収束部
４２  踏みブロック
４３  マッサージバンプ
４４  ソケット
４５  貫通孔
４６  長溝
４７  枢着孔
４８  係止ブロック
５０  弾性ロープ
５１  拡大部
６０  弾性ベルト
６１  調整孔
７０  弾性引きロープ
７１  吊り輪
８０  弾性部材
３０１  枢着孔
３０２  当接縁
【図１】
0003194111.tif 000003
【図２】
0003194111.tif 000004
【図３】
0003194111.tif 000005
【図４】
0003194111.tif 000006
【図５】
0003194111.tif 000007
【図６】
0003194111.tif 000008
【図７】
0003194111.tif 000009
【図８】
0003194111.tif 000010